(57)【要約】    【課題】      ハンドオーバ元からハンドオーバ先に再送データの情報を引き継ぐことにより、再送回数を抑制し、スループットの劣化を防ぐとともに、コンスタレーション・リアレンジメントを採用する場合に、通信端末装置にて正しく復調すること。    【解決手段】  有線送受信部１１１は、有線伝送路１０６−１から入力した、基地局装置１０４−１の再送データの情報を有線伝送路１０６−２へ出力することにより、基地局装置１０４−１の再送データの情報を基地局装置１０４−２へ転送する。ハンドオーバ判定部１１２は、有線送受信部１１１から入力したＳＩＲ等の受信品質情報に基づいて、通信端末装置１０５が基地局装置１０４−１から基地局装置１０４−２へハンドオーバするか否かを判定する。  【選択図】      図１
2006217219.tif 000002
【特許請求の範囲】
【請求項１】
通信端末装置における受信品質に基づいて、前記通信端末装置が第一基地局装置から第二基地局装置へハンドオーバすることを決定する決定手段と、
前記第一基地局装置が前記通信端末装置へデータを再送する処理である再送処理中に前記決定手段にてハンドオーバすることが決定された場合には、ハンドオーバ前の前記再送処理の情報を前記第一基地局装置から前記第二基地局装置へ転送する転送手段と、
を具備することを特徴とする制御局装置。
【請求項２】
前記転送手段は、再送回数がしきい値未満である場合にはハンドオーバ前の前記再送処理の情報を前記第二基地局装置へ転送し、再送回数が前記しきい値以上である場合にはハンドオーバ前の前記再送処理の情報を前記第二基地局装置へ転送しないようにすることを特徴とする請求項１記載の制御局装置。
【請求項３】
前記転送手段は、受信成功を示す信号が返されたパケットデータのシーケンス番号または受信失敗を示す信号が返されたパケットデータのシーケンス番号を、ハンドオーバ前の前記再送処理の情報として転送することを特徴とする請求項１または請求項２記載の制御局装置。
【請求項４】
前記転送手段は、再送毎に変更される１シンボル内のビット配置の変更パターンの情報を前記再送処理の情報として転送することを特徴とする請求項１から請求項３のいずれかに記載の制御局装置。
【請求項５】
通信端末装置に対してデータを再送する処理である再送処理中に前記通信端末装置が自局から他局へハンドオーバする場合には、ハンドオーバ前の前記再送処理の情報を上位局装置へ送信する送信手段と、
前記再送処理を行うとともに前記送信手段にて前記再送処理の情報を前記上位局装置へ送信した後に前記再送処理を停止する再送処理手段と、
を具備することを特徴とする基地局装置。
【請求項６】
他局が通信端末装置に対してデータを再送する処理である再送処理の途中に前記通信端末装置が前記他局から自局へハンドオーバする際に、ハンドオーバ前の前記他局における前記再送処理の情報を受信する受信手段と、
前記受信手段にて受信したハンドオーバ前の前記再送処理の情報に基づいて、前記他局の前記再送処理をハンドオーバ後に継続して行う再送制御手段と、
を具備することを特徴とする基地局装置。
【請求項７】
通信端末装置に対して第一基地局装置がデータを再送する処理である再送処理を行うステップと、
前記通信端末装置における受信品質に基づいて、前記通信端末装置が前記第一基地局装置から第二基地局装置へハンドオーバすることを制御局装置にて決定するステップと、
前記再送処理中に前記通信端末装置が前記第一基地局装置から前記第二基地局装置へハンドオーバすることが決定された場合には、ハンドオーバ前の前記再送処理の情報を前記第一基地局装置から送信するステップと、
前記第一基地局装置が前記再送処理の情報を送信した後に前記再送処理を停止するステップと、
前記制御局装置が前記第一基地局装置から送信されたハンドオーバ前の前記再送処理の情報を受信するステップと、
ハンドオーバ前の前記再送処理の情報を受信した前記制御局装置がハンドオーバ前の前記再送処理の情報を前記第二基地局装置へ転送するステップと、
転送されたハンドオーバ前の前記再送処理の情報に基づいて、前記第二基地局装置が前記第一基地局装置の前記再送処理をハンドオーバ後に継続して行うステップと、
を具備することを特徴とするデータ再送方法。
【発明の詳細な説明】
【技術分野】
【０００１】
本発明は、制御局装置、基地局装置及びデータ再送方法に関し、特にパケットデータを高速に伝送する移動通信システムにおいてハンドオーバを行う制御局装置、基地局装置及びデータ再送方法に関する。
【背景技術】
【０００２】
移動通信システムにおいて、高速パケット通信を実現できる伝送技術に関する検討が盛んに行われている。特にＩＭＴ−２０００(International Mobile Telecommunications-2000)に代表される第３世代移動通信システムにおいて、ＨＳＤＰＡ(High Speed Downlink Packet Access)のように、従来の数百ｋｂｐｓに比べて十数倍のスループットを実現する高速パケット伝送技術に関する検討が行われている。
【０００３】
３ＧＰＰ(3rd Generation Partnership Project)で規定されているＨＳＤＰＡでは、誤り訂正復号を行って誤りを検出する時、パケットデータの再送を要求する再送方式（Automatic Repeat reQuest; 以下「ＡＲＱ」と記載する）を使用する複合再送方式（Hybrid Automatic Repeat reQuest; 以下「ＨＡＲＱ」と記載する）を採用している（例えば、特許文献１）。
【０００４】
また、ＨＳＤＰＡでは、１６ＱＡＭ等の多値変調時にビット誤りを平均化するために、再送ごとにビットの位置を再配置して送信するコンスタレーション・リアレンジメント(Constellation Re-arrangement)が採用されている（例えば、非特許文献１）。
【０００５】
また、移動通信端末が、基地局によってカバーされるエリア（以下「セル」と記載する）間を移動する時、基地局は、端末が移動する前のセルで行っていたパケット通信を一旦停止して端末が移動した後のセルでパケット通信を再開する。このようにして、基地局は呼を切断することなく端末とのパケット通信を継続する。このような、端末のセル間の移動による通信の停止および再開をハンドオーバと呼ぶ。
【特許文献１】特表２００３−５３４７１０号公報
【非特許文献１】3GPP TS25.212 V6.2.0 (2004-06) “Multiplexing and channel coding” (4.5.7節)
【発明の開示】
【発明が解決しようとする課題】
【０００６】
しかしながら、従来の装置においては、ハンドオーバ元の基地局でパケットデータの再送が続いていたとしても、ハンドオーバ先の基地局ではＨＡＲＱの再送情報が引き継がれないため、ハンドオーバ先の基地局は再送をリセットして再送していたパケットデータを最初から送信し直すことになる。その結果、ハンドオーバ前も含めたトータルの再送回数が増大し、結果としてスループットが劣化するという問題がある。また、従来の装置においては、コンスタレーション・リアレンジメントのビット配置パターンの情報が、ハンドオーバ元の基地局からハンドオーバ先の基地局に引き継がれないため、ハンドオーバ先の基地局が送信するビット配置と、通信端末装置が復調で想定するビット配置とが異なるビット配置となり、正しく復調することができなくなるという問題がある。
【０００７】
本発明はかかる点に鑑みてなされたものであり、ハンドオーバ元からハンドオーバ先に再送データの情報を引き継ぐことにより、再送回数を抑制することができ、スループットの劣化を防ぐことができるとともに、コンスタレーション・リアレンジメントを採用する場合に、通信端末装置にて正しく復調することができる制御局装置、基地局装置及びデータ再送方法を提供することを目的とする。
【課題を解決するための手段】
【０００８】
本発明の制御局装置は、通信端末装置における受信品質に基づいて、前記通信端末装置が第一基地局装置から第二基地局装置へハンドオーバすることを決定する決定手段と、前記第一基地局装置が前記通信端末装置へデータを再送する処理である再送処理中に前記決定手段にてハンドオーバすることが決定された場合には、ハンドオーバ前の前記再送処理の情報を前記第一基地局装置から前記第二基地局装置へ転送する転送手段と、を具備する構成を採る。
【０００９】
本発明の基地局装置は、通信端末装置に対してデータを再送する処理である再送処理中に前記通信端末装置が自局から他局へハンドオーバする場合には、ハンドオーバ前の前記再送処理の情報を上位局装置へ送信する送信手段と、前記再送処理を行うとともに前記送信手段にて前記再送処理の情報を前記上位局装置へ送信した後に前記再送処理を停止する再送処理手段と、を具備する構成を採る。
【００１０】
また、本発明の基地局装置は、他局が通信端末装置に対してデータを再送する処理である再送処理の途中に前記通信端末装置が前記他局から自局へハンドオーバする際に、ハンドオーバ前の前記他局における前記再送処理の情報を受信する受信手段と、前記受信手段にて受信したハンドオーバ前の前記再送処理の情報に基づいて、前記他局の前記再送処理をハンドオーバ後に継続して行う再送制御手段と、を具備する構成を採る。
【００１１】
本発明のデータ再送方法は、通信端末装置に対して第一基地局装置がデータを再送する処理である再送処理を行うステップと、前記通信端末装置における受信品質に基づいて、前記通信端末装置が前記第一基地局装置から第二基地局装置へハンドオーバすることを制御局装置にて決定するステップと、前記再送処理中に前記通信端末装置が前記第一基地局装置から前記第二基地局装置へハンドオーバすることが決定された場合には、ハンドオーバ前の前記再送処理の情報を前記第一基地局装置から送信するステップと、前記第一基地局装置が前記再送処理の情報を送信した後に前記再送処理を停止するステップと、前記制御局装置が前記第一基地局装置から送信されたハンドオーバ前の前記再送処理の情報を受信するステップと、ハンドオーバ前の前記再送処理の情報を受信した前記制御局装置がハンドオーバ前の前記再送処理の情報を前記第二基地局装置へ転送するステップと、転送されたハンドオーバ前の前記再送処理の情報に基づいて、前記第二基地局装置が前記第一基地局装置の前記再送処理をハンドオーバ後に継続して行うステップと、を具備するようにした。
【発明の効果】
【００１２】
本発明によれば、ハンドオーバ元からハンドオーバ先に再送データの情報を引き継ぐことにより、再送回数を抑制することができ、スループットの劣化を防ぐことができるとともに、コンスタレーション・リアレンジメントを採用する場合に、通信端末装置にて正しく復調することができる。
【発明を実施するための最良の形態】
【００１３】
以下、本発明の実施の形態について、図面を参照して詳細に説明する。
【００１４】
（実施の形態１）
図１は、本発明の実施の形態１に係る移動通信システム１００の構成を示すブロック図である。移動通信システム１００は、サーバ１０１、ネットワーク１０２、制御局装置１０３、基地局装置１０４−１（第一基地局装置）、基地局装置１０４−２（第二基地局装置）、通信端末装置１０５、有線伝送路１０６−１及び有線伝送路１０６−２から構成される。また、基地局装置１０４−１は、セル＃１をカバーしているハンドオーバ元の基地局装置であり、基地局装置１０４−２は、セル＃２をカバーしているハンドオーバ先の基地局装置である。なお、図１において、有線伝送路１０６−１、１０６−２を介して制御局装置１０３と接続される基地局装置は、基地局装置１０４−１及び基地局装置１０４−２の２つにしたが、これに限らず、制御局装置１０３と接続される基地局装置の数は任意の数にすることができる。
【００１５】
最初に、制御局装置１０３の構成について、図１を用いて説明する。
【００１６】
バッファ１１０は、サーバ１０１から送信された下りパケットデータをネットワーク１０２を介して受信し、受信した下りパケットデータを一時的に蓄積する。そして、バッファ１１０は、蓄積している下りパケットデータを所定のタイミングにて有線送受信部１１１へ出力する。
【００１７】
転送手段である有線送受信部１１１は、ハンドオーバ判定部１１２によるハンドオーバするか否かの判定結果に基づいて、バッファ１１０から下りパケットデータを読み出して有線伝送路１０６−１または有線伝送路１０６−２へ出力する。即ち、有線送受信部１１１は、ハンドオーバ決定前にはパケットデータを有線伝送路１０６−１へ出力し、ハンドオーバ決定後にはパケットデータを有線伝送路１０６−１及び有線伝送路１０６−２の双方へ出力する。また、有線送受信部１１１は、有線伝送路１０６から入力した、通信端末装置１０５における基地局装置１０４−１及び基地局装置１０４−２の受信品質の情報である受信品質情報を受信してハンドオーバ判定部１１２へ出力する。さらに、有線送受信部１１１は、ハンドオーバ判定部１１２からハンドオーバする判定結果が入力した場合には、通信端末装置１０５との無線リンク解放要求を有線伝送路１０６−１へ出力するとともに、ハンドオーバ受入準備要求及び無線リンク確立要求を有線伝送路１０６−２へ出力する。
【００１８】
また、有線送受信部１１１は、有線伝送路１０６−１から入力した、基地局装置１０４−１の再送データの情報を有線伝送路１０６−２へ出力することにより、基地局装置１０４−１の再送データの情報を基地局装置１０４−２へ転送する。ここで、再送データの情報は、例えば、通信端末装置１０５における受信成功を示す信号であるＡＣＫが返されたパケットデータのシーケンス番号、通信端末装置１０５における受信失敗を示す信号であるＮＡＣＫが返されたパケットデータのシーケンス番号及びコンスタレーション・リアレンジメントの１シンボル内のビット配置の変更パターンの情報等である。
【００１９】
決定手段であるハンドオーバ判定部１１２は、有線送受信部１１１から入力したＳＩＲ等の受信品質情報に基づいて、通信端末装置１０５が基地局装置１０４−１から基地局装置１０４−２へハンドオーバするか否かを判定する。そして、ハンドオーバ判定部１１２は、判定結果を有線送受信部１１１へ出力する。
【００２０】
制御部１１３は、有線送受信部１１１の制御を行う。
【００２１】
次に、ハンドオーバ元である基地局装置１０４−１の構成について、図１を用いて説明する。基地局装置１０４−１は、通信端末装置１０５との間にて、ＨＡＲＱの再送方式にて再送を行う。
【００２２】
有線送受信部１２０は、有線伝送路１０６−１から入力した下りパケットデータをバッファ１２１へ出力する。また、有線送受信部１２０は、再送制御部１２２から入力した再送データの情報を有線伝送路１０６−１へ出力する。また、有線送受信部１２０は、無線送受信部１２４から入力した通信端末装置１０５の受信品質情報を有線伝送路１０６−１へ出力する。また、有線送受信部１２０は、有線伝送路１０６−１から無線リンク解放要求が入力した場合には、入力した無線リンク解放要求を再送制御部１２２及び制御部１２３へ出力する。
【００２３】
バッファ１２１は、有線送受信部１２０から入力した下りパケットデータを一時的に蓄積し、所定のタイミングにて無線送受信部１２４及び再送制御部１２２へ出力する。
【００２４】
再送処理手段である再送制御部１２２は、無線送受信部１２４から入力した、ＡＣＫまたはＮＡＣＫより、受信失敗したパケットデータをバッファ１２１から読み込んで再送データとして無線送受信部１２４へ出力する。また、再送制御部１２２は、有線送受信部１２０から無線リンク解放要求が入力した場合には、再送処理を停止して、再送を開始してから再送を停止するまでの再送データの情報を有線送受信部１２０へ出力する。
【００２５】
制御部１２３は、有線送受信部１２０及び無線送受信部１２４の制御を行う。また、制御部１２３は、有線送受信部１２０から無線リンク解放要求が入力した場合には、通信端末装置１０５への下りパケットデータの送信及び再送データの送信を停止するように無線送受信部１２４を制御する。
【００２６】
無線送受信部１２４は、バッファ１２１から入力した下りパケットデータを変調するとともにベースバンド周波数から無線周波数にアップコンバートして通信端末装置１０５へ送信する。また、無線送受信部１２４は、再送制御部１２２から入力した再送データを変調するとともにベースバンド周波数から無線周波数にアップコンバートして通信端末装置１０５へ送信する。また、無線送受信部１２４は、受信品質情報を受信し、受信した受信品質情報を無線周波数からベースバンド周波数にダウンコンバートするとともに復調して有線送受信部１２０へ出力する。また、無線送受信部１２４は、制御部１２３から下りパケットデータまたは再送データの送信を停止するように制御された場合には、下りパケットデータまたは再送データの送信を停止する。また、無線送受信部１２４は、ＡＣＫまたはＮＡＣＫを受信し、受信したＡＣＫまたはＮＡＣＫを再送制御部１２２へ出力する。
【００２７】
次に、ハンドオーバ先である基地局装置１０４−２の構成について、図１を用いて説明する。基地局装置１０４−２は、通信端末装置１０５との間にて、ＨＡＲＱの再送方式にて再送を行う。
【００２８】
有線送受信部１３０は、有線伝送路１０６−２から入力した下りパケットデータをバッファ１３１へ出力する。また、有線送受信部１３０は、有線伝送路１０６−２からハンドオーバ受入準備要求が入力した場合には、入力したハンドオーバ受入準備要求を再送制御部１３２及び制御部１３３へ出力する。また、有線送受信部１３０は、有線伝送路１０６−２から無線リンク確立要求が入力した場合には、入力した無線リンク確立要求を制御部１３３へ出力する。さらに、有線送受信部１３０は、有線伝送路１０６−２から入力した再送データの情報を再送制御部１３２へ出力する。
【００２９】
バッファ１３１は、有線送受信部１３０から入力した下りパケットデータを一時的に蓄積し、所定のタイミングにて無線送受信部１３４及び再送制御部１３２へ出力する。
【００３０】
再送制御部１３２は、無線送受信部１３４から入力した、通信端末装置１０５における受信成功を示す信号及び受信失敗を示す信号より、受信失敗したパケットデータをバッファ１３１から読み込んで再送データとして無線送受信部１３４へ出力する。また、再送制御部１３２は、有線送受信部１３０からハンドオーバ受入準備要求が入力した場合には、再送処理を開始する準備を行う。そして、再送制御部１３２は、通信端末装置１０５が基地局装置１０４−１のセル＃１から基地局装置１０４−２のセル＃２へハンドオーバした際には、有線送受信部１３０から入力した再送データの情報に基づいて、基地局装置１０４−１における再送処理を継続する。
【００３１】
制御部１３３は、有線送受信部１３０及び無線送受信部１３４の制御を行う。また、制御部１３３は、有線送受信部１３０から無線リンク確立要求が入力した場合には、無線回線を開設するように無線送受信部１３４を制御する。また、制御部１３３は、有線送受信部１３０からハンドオーバ受入準備要求が入力した場合には、通信端末装置１０５への下りパケットデータの送信及び再送データの送信を開始するように無線送受信部１３４を制御する。
【００３２】
無線送受信部１３４は、制御部１３３から、無線回線を開設するように制御された場合で、かつ下りパケットデータまたは再送データの送信を開始するように制御された場合には、無線回線を開設して下りパケットデータまたは再送データの送信を開始する。この場合、無線送受信部１３４は、バッファ１３１から下りパケットデータを読み出して変調するとともにベースバンド周波数から無線周波数にアップコンバートして通信端末装置１０５へ送信する。また、無線送受信部１３４は、再送制御部１３２から入力した再送データを変調するとともにベースバンド周波数から無線周波数にアップコンバートして通信端末装置１０５へ送信する。また、無線送受信部１３４は、受信品質情報を受信し、受信した受信品質情報を無線周波数からベースバンド周波数にダウンコンバートするとともに復調して有線送受信部１３０へ出力する。また、無線送受信部１３４は、ＡＣＫまたはＮＡＣＫを受信し、受信したＡＣＫまたはＮＡＣＫを再送制御部１３２へ出力する。なお、基地局装置１０４−１及び基地局装置１０４−２は同一構成であり、基地局装置１０４−１及び基地局装置１０４−２は、上記で説明したハンドオーバ元及びハンドオーバ先の何れの処理も行うことができる。
【００３３】
次に、移動通信システム１００におけるデータ再送方法について、図２及び図３を用いて説明する。図２は、ハンドオーバを説明する図であり、図３は、データ再送方法を示すシーケンス図である。
【００３４】
図２より、通信端末装置１０５は、基地局装置１０４−１がカバーする領域であるセル＃１の境界付近（ハンドオーバ領域）に位置し、ある時間においてセル＃１に在圏している。そして、図２の状態において、通信端末装置１０５が基地局装置１０４−１から基地局装置１０４−２にハンドオーバする。なお、セル＃２は、基地局装置１０４−２がカバーする領域である。また、基地局装置１０４−１及び基地局装置１０４−２は、上記に説明したように制御局装置１０３により制御されるが、説明の都合上、図２においては省略する。
【００３５】
図３より、最初に、サーバ１０１は、下りパケットデータをネットワーク１０２を介して制御局装置１０３へ送信する。
【００３６】
次に、下りパケットデータを受信した制御局装置１０３は、受信した下りパケットデータをバッファ１１０に一時的に蓄積する。
【００３７】
次に、制御局装置１０３の有線送受信部１１１は、バッファ１１０に蓄積されている下りパケットデータを読み出し、有線伝送路１０６−１を介して基地局装置１０４−１へ送信する（ステップＳＴ３０１）。
【００３８】
次に、基地局装置１０４−１の有線送受信部１２０は、送信された下りパケットデータを受信してバッファ１２１に蓄積する。
【００３９】
次に、基地局装置１０４−１の無線送受信部１２４は、バッファ１２１に蓄積された下りパケットデータを読み出して、無線伝送路を介して通信端末装置１０５へ送信する（ステップＳＴ３０２）。
【００４０】
次に、下りパケットデータを受信した通信端末装置１０５は、受信結果に誤りがないので、ＡＣＫを基地局装置１０４−１へ返送する（ステップＳＴ３０３）。
【００４１】
また、基地局装置１０４−２の無線送受信部１３４は、通信端末装置１０５に対して、パイロットチャネルを用いて既知信号を送信する（ステップＳＴ３０４）。また、基地局装置１０４−１の無線送受信部１２４は、通信端末装置１０５に対して、パイロットチャネルを用いて既知信号を送信する（ステップＳＴ３０５）。
【００４２】
次に、既知信号を受信した通信端末装置１０５は、既知信号を用いて基地局装置１０４−１及び基地局装置１０４−２の受信品質を測定する。そして、通信端末装置１０５は、測定した受信品質の情報を受信品質情報として基地局装置１０４−１へ送信する（ステップＳＴ３０６）。
【００４３】
次に、無線受信部１２４にて受信品質情報を受信した基地局装置１０４−１は、有線送受信部１２０より、有線伝送路１０６−１を介して、受信した受信品質情報を制御局装置１０３へ送信する（ステップＳＴ３０７）。なお、ステップＳＴ３０１〜ステップＳＴ３０７の処理は繰り返し行われる。また、ステップＳＴ３０１〜ステップＳＴ３０３の処理の途中でステップＳＴ３０４〜ステップＳＴ３０７の処理を行うようにしても良く、各処理を行うタイミング及び回数は任意に設定することができる。
【００４４】
次に、受信品質情報を受信した制御局装置１０３は、ハンドオーバ判定部１１２にて、ハンドオーバ候補として、受信品質情報が良好である基地局装置１０４−２を選択し、基地局装置１０４−２をハンドオーバ候補に追加決定する。そして、制御局装置１０３の有線送受信部１１１は、有線伝送路１０６−２を介して、ハンドオーバ判定部１１２が選択した基地局装置１０４−２に対して、ハンドオーバ受入準備要求を送信する（ステップＳＴ３０８）。
【００４５】
次に、制御局装置１０３の有線送受信部１１１は、バッファ１１０から読み出した下りパケットデータを、有線伝送路１０６−２を介して基地局装置１０４−２へ送信するとともに（ステップＳＴ３０９）、有線伝送路１０６−１を介して基地局装置１０４−１へ送信する（ステップＳＴ３１０）。これ以降、制御局装置１０３は、通信中の基地局装置１０４−１と同様にハンドオーバ候補の基地局装置１０４−２にも同じ下りパケットデータを送信する。
【００４６】
次に、下りパケットデータを受信した基地局装置１０４−１は、受信した下りパケットデータをバッファ１２１に蓄積する。また、下りパケットデータを受信した基地局装置１０４−２は、受信した下りパケットデータをバッファ１３１に蓄積する。
【００４７】
次に、基地局装置１０４−１の無線送受信部１２４は、バッファ１２１から読み出した下りパケットデータを通信端末装置１０５に無線送信する（ステップＳＴ３１１）。
【００４８】
次に、下りパケットデータを受信した通信端末装置１０５は、受信結果に誤りがあるので、ＮＡＣＫを基地局装置１０４−１へ返送する（ステップＳＴ３１２）。
【００４９】
次に、ＮＡＣＫを受信した基地局装置１０４−１の再送制御部１２２は、下りパケットデータを再送する（ステップＳＴ３１３）。これにより、基地局装置１０４−１の再送処理が開始される。
【００５０】
次に、再送データを受信した通信端末装置１０５は、受信結果に誤りがあるので、再びＮＡＣＫを基地局装置１０４−１へ返送する（ステップＳＴ３１４）。以後は、ＡＣＫが通信端末装置１０５から返信されるまで再送データの送信が繰り返される。再送時に送る再送データの種類は、ＨＡＲＱの再送方式によって異なる。ここで、ＨＡＲＱの再送方式は、タイプI（Type I）、タイプII（Type II）及びタイプIII（Type III）の３種類ある。ただし、これ以外の再送方式を用いても良い。
【００５１】
また、基地局装置１０４−２の無線送受信部１３４は、通信端末装置１０５に対して、パイロットチャネルを用いて既知信号を送信する（ステップＳＴ３１５）。また、基地局装置１０４−１の無線送受信部１２４は、通信端末装置１０５に対して、パイロットチャネルを用いて既知信号を送信する（ステップＳＴ３１６）。
【００５２】
次に、既知信号を受信した通信端末装置１０５は、既知信号を用いて基地局装置１０４−１及び基地局装置１０４−２の受信品質を測定する。そして、通信端末装置１０５は、測定した受信品質の情報を受信品質情報として基地局装置１０４−１へ送信する（ステップＳＴ３１７）。
【００５３】
次に、無線受信部１２４にて受信品質情報を受信した基地局装置１０４−１は、有線送受信部１２０より、有線伝送路１０６−１を介して、受信した受信品質情報を制御局装置１０３へ送信する（ステップＳＴ３１８）。なお、ステップＳＴ３１１〜ステップＳＴ３１４の処理の途中でステップＳＴ３１５〜ステップＳＴ３１８の処理を行うようにしても良く、各処理を行うタイミング及び回数は任意に設定することができる。
【００５４】
次に、受信品質情報を受信した制御局装置１０３は、ハンドオーバ判定部１１２にて、受信品質情報に基づいて、基地局装置１０４−１から基地局装置１０４−２へハンドオーバすることを決定する。例えば、ハンドオーバ判定部１１２は、受信品質情報としてＳＩＲを用いる場合には、基地局装置１０４−１の通信端末装置１０５におけるＳＩＲがしきい未満で、かつ基地局装置１０４−２の通信端末装置１０５におけるＳＩＲがしきい値以上の場合にハンドオーバすることを決定する。
【００５５】
次に、制御局装置１０３の有線送受信部１１１は、有線伝送路１０６−１を介して、無線リンク解放要求を基地局装置１０４−１へ送信する（ステップＳＴ３１９）。
【００５６】
次に、無線リンク解放要求を受信した基地局装置１０４−１は、制御部１２３にて、通信端末装置１０５との通信に割り当てていたリソースを解放するとともに、再送制御部１２２にて、再送データの送信を停止する。
【００５７】
次に、基地局装置１０４−１の再送制御部１２２は、再送データ送信停止時の再送データの情報、即ちステップＳＴ３１３から再送処理により再送された再送データの情報を、有線送受信部１２０及び有線伝送路１０６−１を介して制御局装置１０３へ送信する（ステップＳＴ３２０）。
【００５８】
次に、再送データの情報を受信した制御局装置１０３は、有線送受信部１１１より、有線伝送路１０６−２を介して、受信した再送データの情報を基地局装置１０４−２へ送信する（ステップＳＴ３２１）。
【００５９】
また、制御局装置１０３の有線送受信部１１１は、有線伝送路１０６−２を介して、無線リンク確立要求を基地局装置１０４−２に対して送信する（ステップＳＴ３２２）。
【００６０】
次に、制御局装置１０３の有線送受信部１１１は、有線伝送路１０６−２を介して、物理チャネル設定要求を基地局装置１０４−２に対して送信し、物理チャネル設定要求を受信した基地局装置１０４−２は、受信した物理チャネル要求を通信端末装置１０５へ送信する（ステップＳＴ３２３）。
【００６１】
次に、物理チャネル設定要求を受信した通信端末装置１０５は、基地局装置１０４−２と同期確立後、パケットデータの受信を開始する。
【００６２】
次に、物理チャネル設定要求を受信した通信端末装置１０５は、物理チャネル設定通知を基地局装置１０４−２へ送信し、物理チャネル設定通知を受信した基地局装置１０４−２は、受信した物理チャネル設定通知を、有線伝送路１０６−２を介して制御局装置１０３へ送信する（ステップＳＴ３２４）。
【００６３】
次に、再送データの情報を受信した基地局装置１０４−２の再送制御部１３２は、再送データの情報に基づいて、バッファ１３１からパケットデータを読み出す。即ち、再送制御部１３２は、基地局装置１０４−１のハンドオーバ時の再送処理を引き続き行うことにより、基地局装置１０４−１の再送処理を継続する。
【００６４】
次に、基地局装置１０４−２の無線送受信部１３４は、再送制御部１３２の制御に基づいて、バッファ１３１から読み出した再送データを通信端末装置１０５へ送信する（ステップＳＴ３２５）。これにより、基地局装置１０４−１から基地局装置１０４−２へのハンドオーバが完了する。
【００６５】
次に、再送データを受信した通信端末装置１０５は、受信結果に誤りがあるので、ＮＡＣＫを基地局装置１０４−２へ返送する（ステップＳＴ３２６）。
【００６６】
次に、ＮＡＣＫを受信した基地局装置１０４−２の再送制御部１３２は、下りパケットデータを再送する（ステップＳＴ３２７）。
【００６７】
次に、再送データを受信した通信端末装置１０５は、受信結果に誤りがないので、ＡＣＫを基地局装置１０４−２へ返送する（ステップＳＴ３２８）。これにより、再送処理が終了する。
【００６８】
次に、再送データの情報としてパケットデータのシーケンス番号の情報が基地局装置１０４−１から基地局装置１０４−２へ転送された場合のデータ再送方法について、図４を用いて説明する。図４（Ａ）は、基地局装置１０４−１が送信するパケットデータの順番を示す図であり、図４（Ｂ）は、基地局装置１０４−２が送信するパケットデータの順番を示す図である。なお、図４の左から右へ時間が経過しているものとする。
【００６９】
基地局装置１０４−１は、シーケンス番号「１」のパケットデータ＃４０１を送信した後にシーケンス番号「２」のパケットデータ＃４０２を送信した場合で、かつシーケンス番号「１」のパケットデータ＃４０１についてのＮＡＣＫ、及びシーケンス番号「２」のパケットデータ＃４０２についてのＡＣＫを通信端末装置１０５より受信した場合には、シーケンス番号「１」のパケットデータ＃４０１を１回目の再送データ＃４０３として送信する。
【００７０】
そして、通信端末装置１０５は、シーケンス番号「１」のパケットデータの１回目の再送データ＃４０３についても受信が失敗し、ＮＡＣＫを返送する。
【００７１】
この時、制御局装置１０３にてハンドオーバすることが決定された場合には、シーケンス番号「１」のパケットデータの１回目の再送データ＃４０３について、通信端末装置１０５よりＮＡＣＫが返送されてきた情報が再送データの情報として、制御局装置１０３を介して基地局装置１０４−１から基地局装置１０４−２に転送される。
【００７２】
再送データの情報を受信した基地局装置１０４−２は、シーケンス番号「１」のパケットデータの２回目の再送データ＃４０４を送信する。
【００７３】
そして、通信端末装置１０５は、シーケンス番号「１」のパケットデータの２回目の再送データ＃４０４については受信が成功し、ＡＣＫを返送する。
【００７４】
基地局装置１０４−２は、シーケンス番号「３」以降のパケットデータを送信する。従来は、基地局装置１０４−１がシーケンス番号「１」のパケットデータの１回目の再送データ＃４０３を送信した後にハンドオーバした場合には、基地局装置１０４−２は、シーケンス番号「１」のパケットデータの１回目の再送データ＃４０３から再度送信しなければならない。図４の場合には、基地局装置１０４−２は、シーケンス番号「１」のパケットデータの１回目の再送データ＃４０３を送信しなくて良いため、その分再送回数を抑制することができる。
【００７５】
上記では、ハンドオーバ時にＮＡＣＫが返送されたシーケンス番号のパケットデータの情報を再送データの情報として転送したが、これに限らず、ハンドオーバ時にＡＣＫが返送されたシーケンス番号のパケットデータの情報を再送データの情報として転送しても良い。この場合には、基地局装置１０４−２は、再送データの情報に含まれていないシーケンス番号のパケットデータを再送する。また、ハンドオーバ時にＮＡＣＫが返送されたシーケンス番号のパケットデータとＡＣＫが返送されたシーケンス番号のパケットデータの両方の情報を再送データの情報として転送しても良い。この場合には、基地局装置１０４−２は、ＮＡＣＫが返送されたシーケンス番号のパケットデータを再送する。
【００７６】
次に、再送データの情報としてコンスタレーション・リアレンジメントのビット配置の変更パターンの情報が基地局装置１０４−１から基地局装置１０４−２へ転送された場合のデータ再送方法について、図５を用いて説明する。図５（Ａ）は、基地局装置１０４−１が送信するパケットデータのビット配置を示す図であり、図５（Ｂ）は、基地局装置１０４−２が送信するパケットデータのビット配置を示す図である。図５において、１シンボルは「ａ」、「ｂ」、「ｃ」、「ｄ」の４ビットから構成されているものとする。なお、図５の左から右へ時間が経過しているものとする。
【００７７】
基地局装置１０４−１の再送制御部１２２及び基地局装置１０４−２の再送制御部１３２は、再送前の初回の送信時には「ａｂｃｄ」のビット配置、１回目の再送時には「ｂｃｄａ」のビット配置及び２回目の再送時には「ｃｄａｂ」のビット配置のビット配置変更パターンを記憶している。
【００７８】
この場合において、基地局装置１０４−１は、１シンボルが「ａｂｃｄ」のビット配置からなるパケットデータ＃５０１を送信した場合で、かつパケットデータ＃５０１についてのＮＡＣＫを通信端末装置１０５より受信した場合には、ビット配置を変更して、「ｂｃｄａ」のビット配置からなるパケットデータを１回目の再送データ＃５０２として送信する。
【００７９】
そして、通信端末装置１０５は、再送データ＃５０２についても受信が失敗し、ＮＡＣＫを返送する。
【００８０】
この時、制御局装置１０３にてハンドオーバすることが決定された場合には、１回目の再送時のビット配置の変更パターンの情報が再送データの情報として、制御局装置１０３を介して基地局装置１０４−１から基地局装置１０４−２に転送される。
【００８１】
再送データの情報を受信した基地局装置１０４−２は、ビット配置を変更して、「ｃｄａｂ」のビット配置からなるパケットデータを２回目の再送データ＃５０３として送信する。
【００８２】
そして、通信端末装置１０５は、再送データ＃５０３については受信が成功し、ＡＣＫを返送する。従来は、基地局装置１０４−１が１回目の再送データ＃５０２を送信した後にハンドオーバした場合には、基地局装置１０４−２は、１回目の再送データ＃５０２から再度送信しなければならない。図５の場合には、基地局装置１０４−２は、１回目の再送データ＃５０２を送信しなくて良いため、その分再送回数を抑制することができる。
【００８３】
このように、本実施の形態１によれば、ハンドオーバ元の再送データの情報をハンドオーバ先が引き継いで再送処理を行うので、再送回数を抑制することができ、スループットの劣化を防ぐことができるとともに、コンスタレーション・リアレンジメントを採用する場合に、通信端末装置にて正しく復調することができる。
【００８４】
（実施の形態２）
図６は、本発明の実施の形態２に係る移動通信システム６００の構成を示すブロック図である。
【００８５】
本実施の形態２に係る移動通信システム６００の制御局装置６０１は、図１に示す実施の形態１に係る移動通信システム１００の制御局装置１０３において、図６に示すように、再送回数判定部６０２を追加する。なお、図６においては、図１と同一構成である部分には同一の符号を付してその説明は省略する。
【００８６】
有線送受信部１１１は、ハンドオーバ判定部１１２によるハンドオーバするか否かの判定結果に基づいて、バッファ１１０から下りパケットデータを読み出して有線伝送路１０６−１または有線伝送路１０６−２へ出力する。即ち、有線送受信部１１１は、ハンドオーバ決定前にはパケットデータを有線伝送路１０６−１へ出力し、ハンドオーバ決定後にはパケットデータを有線伝送路１０６−１及び有線伝送路１０６−２の双方へ出力する。また、有線送受信部１１１は、有線伝送路１０６から入力した、通信端末装置１０５における基地局装置１０４−１及び基地局装置１０４−２の受信品質の情報である受信品質情報を受信してハンドオーバ判定部１１２へ出力する。さらに、有線送受信部１１１は、ハンドオーバ判定部１１２からハンドオーバする判定結果が入力した場合には、通信端末装置１０５との無線リンク解放要求を有線伝送路１０６−１へ出力するとともに、ハンドオーバ受入準備要求及び無線リンク確率要求を有線伝送路１０６−２へ出力する。
【００８７】
また、有線送受信部１１１は、有線伝送路１０６−１から入力した再送データの情報に含まれる再送回数の情報を再送回数判定部６０２へ出力する。そして、有線送受信部１１１は、再送回数判定部６０２から再送データの情報を転送する指示があった場合に、基地局装置１０４−１の再送データの情報を有線伝送路１０６−２へ出力することにより、基地局装置１０４−１の再送データの情報を基地局装置１０４−２へ転送する。ここで、再送データの情報は、例えば、ＡＣＫが返されたパケットデータのシーケンス番号、ＮＡＣＫが返されたパケットデータのシーケンス番号及びコンスタレーション・リアレンジメントの１シンボル内のビット配置の変更パターンの情報に加えて、再送回数の情報等を含む。
【００８８】
再送回数判定部６０２は、有線送受信部１１１から入力した再送回数の情報より、再送回数としきい値とを比較する。そして、再送回数判定部６０２は、再送回数がしきい値以上の場合には、有線送受信部１１１に対して、再送データの情報を基地局装置１０４−２へ転送しないように制御し、再送回数がしきい値未満の場合には、有線送受信部１１１に対して、再送データの情報を基地局装置１０４−２へ転送するように制御する。
【００８９】
再送制御部１３２は、無線送受信部１３４から入力した、通信端末装置１０５における受信成功を示す信号及び受信失敗を示す信号より、受信失敗したパケットデータをバッファ１３１から読み込んで再送データとして無線送受信部１３４へ出力する。また、再送制御部１３２は、有線送受信部１３０からハンドオーバ受入準備要求が入力した場合には、再送処理を開始する準備を行う。そして、再送制御部１３２は、通信端末装置１０５が基地局装置１０４−１のセル＃１から基地局装置１０４−２のセル＃２へハンドオーバした場合において、有線送受信部１３０から再送データの情報が入力した場合には、有線送受信部１３０から入力した再送データの情報に基づいて、基地局装置１０４−１における再送処理を継続し、有線送受信部１３０から再送データの情報が入力しない場合には、再送処理を最初からやり直す。なお、データ再送方法は、再送回数に応じて再送処理を続けるかまたは最初からやり直すかを選択する以外は、図３と同一であるため、その説明は省略する。
【００９０】
再送回数に応じて再送処理を続けるかまたは最初からやり直すかを選択する理由は、ハンドオーバ決定時点ですでに再送回数が多いパケットデータは、受信品質が良くない等の理由でエラー率が大きいと考えられる。この状態でハンドオーバ先に再送制御情報を引き継いでもスループット向上の効果は期待できないと考えられる。そこで、本実施の形態２では、再送回数がしきい値以上の場合には再送データの情報をリセットし、再送回数がしきい値以上ではない場合には実施の形態１と同様に再送データの情報を引き継いで通信を行う。
【００９１】
このように、本実施の形態２によれば、上記実施の形態１の効果に加えて、再送回数がしきい値以上の場合には再送処理を最初からやり直すので、再送回数を確実に抑制することができるとともに、コンスタレーション・リアレンジメントを採用する場合に、通信端末装置にて確実に復調することができる。
【００９２】
なお、上記実施の形態１及び実施の形態２において、再送方式としてＨＡＲＱを用いることにしたが、これに限らず、任意の再送方式を用いることができる。
【産業上の利用可能性】
【００９３】
本発明にかかる制御局装置、基地局装置及びデータ再送方法は、パケットデータを高速に伝送する移動通信システムに用いるに好適である。
【図面の簡単な説明】
【００９４】
【図１】本発明の実施の形態１に係る移動通信システムの構成を示すブロック図
【図２】本発明の実施の形態１に係るハンドオーバを説明する図
【図３】本発明の実施の形態１に係るデータ再送方法を示すシーケンス図
【図４】本発明の実施の形態１に係るデータ再送方法を説明する図
【図５】本発明の実施の形態１に係るデータ再送方法を説明する図
【図６】本発明の実施の形態２に係る移動通信システムの構成を示すブロック図
【符号の説明】
【００９５】
１００  移動通信システム
１０１  サーバ
１０２  ネットワーク
１０３  制御局装置
１０４−１、１０４−２  基地局装置
１０５  通信端末装置
１０６−１、１０６−２  有線伝送路
１１０、１２１、１３１  バッファ
１１１、１２０、１３０  有線送受信部
１１２  ハンドオーバ判定部
１１３、１２３、１３３  制御部
１２２、１３２  再送制御部
１２４、１３４  無線送受信部
【図１】
2006217219.tif 000003
【図２】
2006217219.tif 000004
【図３】
2006217219.tif 000005
【図４】
2006217219.tif 000006
【図５】
2006217219.tif 000007
【図６】
2006217219.tif 000008